(57)【要約】【課題】データを送信中に通信回線が切断した場合であっても、データの送信が可能な送信装置を提供する。【解決手段】複数の通信回線の各々に接続可能な複数の通信インターフェイス１０９から１１２を備え、該通信インターフェイスを介してデータの送信を行う送信装置において、データを送信中に通信回線が切断した場合、あらかじめ定められた通信回線接続基準に基づき適した通信回線を選択して該通信回線に対応する通信インターフェイスを駆動して該通信回線との接続をし、データを送信することを特徴とする。【選択図】  図１
2004171379.tif 000002
【特許請求の範囲】
【請求項１】
複数の通信回線の各々に接続可能な複数の通信インターフェイスを備え、該通信インターフェイスを介してデータの送信を行う送信装置において、データを送信中に通信回線が切断した場合、あらかじめ定められた通信回線接続基準に基づき適した通信回線を選択して該通信回線に対応する通信インターフェイスを駆動して該通信回線との接続をし、データを送信することを特徴とする送信装置。
【請求項２】
通信回線に接続可能な複数の通信インターフェイスを備え、該通信インターフェイスを介してデータの送信を行う送信装置において、送信するデータを保存するデータ保存手段を備え、データを送信中に通信回線が切断した場合、あらかじめ定められた通信回線選択基準に基づき適した通信回線を選択して該通信回線に対応する通信インターフェイスを駆動して該通信回線との接続をし、前記データ保存手段に保存されている前記切断中のデータを、送信するデータとともに送信することを特徴とする送信装置。
【請求項３】
通信回線に接続可能な複数の通信インターフェイスを備え、該通信インターフェイスを介してデータの送信を行う送信装置において、送信するデータを保存するデータ保存手段を備え、データを送信中に、送信していない通信インターフェイスを駆動して該通信インターフェイスに対応する通信回線を接続し、該通信回線の状況を調べることにより、該通信回線の状況に関する最新情報を得、データを送信中に通信回線が切断した場合、前記最新情報で更新された通信回線接続基準に基づき適した通信回線を選択して該通信回線に対応する通信インターフェイスを駆動して該通信回線との接続をし、前記データ保存手段に保存されている前記切断中のデータを、送信するデータとともに送信することを特徴とする送信装置。
【請求項４】
通信回線に接続可能な複数の通信インターフェイスを備え、該通信インターフェイスを介してデータの送信を行う送信装置において、送信するデータを保存するデータ保存手段を備え、データを送信中に、送信していない通信インターフェイスを選択して該通信インターフェイスに対応する通信回線を接続し、該通信回線により外部より通信回線の状況に関する最新情報を取得し、データを送信中に通信回線が切断した場合、前記最新情報を加味した通信回線接続基準に基づき適した通信回線を選択して該通信回線に対応する通信インターフェイスを駆動して該通信回線との接続をし、前記データ保存手段に保存されている前記切断中のデータを、送信するデータとともに送信することを特徴とする送信装置。
【請求項５】
通信回線に接続可能な複数の通信インターフェイスを備え、該通信インターフェイスを介してデータの送信を行う送信装置において、送信するデータを保存するデータ保存手段を備え、データを送信中に通信回線が切断した場合、あらかじめ定められた通信回線接続基準に基づき適した複数の通信回線を選択して該複数の通信回線に対応する複数の通信インターフェイスを駆動して該複数の通信回線との接続をし、前記データ保存手段に保存されている前記切断中のデータと、送信するデータとを、前記接続した複数の通信回線のうちの異なる通信回線により送信することを特徴とする送信装置。
【請求項６】
請求項１から５のうちいずれか一つの項記載の送信装置と、撮像部を備え、前記送信装置より送信される送信データが、前記撮像部が撮影した画像データであることを特徴とするビデオカメラ装置。
【請求項７】
通信回線に接続可能な複数の通信インターフェイスを備え、該通信インターフェイスを介してデータの送信を行う送信装置において、送信するデータを保存するデータ保存手段と、前記送信装置またはその周辺の状況変化を検出するセンサを備え、データを送信中に前記センサが前記状態変化を検出した場合、データの送信を継続するとともに通信を行っていない通信インターフェイスを接続して該通信インターフェイスに対応する通信回線との接続をし、該通信回線により、前記データ保存手段に保存されている前記センサの前記状態変化の時刻の前後のデータを送信することを特徴とする送信装置。
【請求項８】
撮像部と、該撮像部にて撮影された画像データを圧縮する圧縮部と、通信回線に接続可能な複数の通信インターフェイスを有し該通信インターフェイスを介して前記圧縮部で圧縮された圧縮画像データを送信する送信装置を備えたビデオカメラ装置であって、送信する圧縮画像データよりも圧縮率が小さい高画質データを保存するデータ保存手段と、前記送信装置またはその周辺の状況変化を検出するセンサを備え、前記圧縮画像データを送信中に前記センサが前記状態変化を検出した場合、送信していない通信インターフェイスを駆動して該通信インターフェイスに対応する通信回線を接続し、前記データ保持手段に保存されている前記高画質データを送信することを特徴とするビデオカメラ装置。
【請求項９】
送信するデータを分割する分割データ処理部を備え、該分割データ処理部にて分割された各々のデータを複数の通信インターフェイスを用いて並列にデータを送信し、データを送信中に通信回線が切断した場合、前記データ分割処理部の送信するデータの分割数を残りの通信回線の数に対応した数にデータを再分割し、再分割したデータを前記残りの通信回線で送信することを特徴とする送信装置。
【請求項１０】
請求項９記載の送信装置と、撮像部を備え、前記送信装置より送信される分割された送信データが、前記撮像部が撮影した画像データを分割した画像データであることを特徴とするビデオカメラ装置。
【請求項１１】
請求項１から８のうちいずれか一つの項記載の送信装置またはビデオカメラ装置は、バッテリーを備え、停電時に前記送信装置の電源を前記バッテリーに切り換えるとともに、前記送信装置がデータ送信を行っている場合、複数の通信インターフェイスの中から通信回線に接続した際一番消費電力の小さい通信回線に対応する通信インターフェイスを選択し駆動して該通信回線との接続をし、データを送信することを特徴とする送信装置。
【請求項１２】
請求項９または１０記載の送信装置は、バッテリーを備え、停電時に前記送信装置の電源を前記バッテリーに切り換えるとともに、前記送信装置が送信データを分割して複数の通信回線を用いてデータ送信を行っている場合、通信を行っている複数の通信インターフェイスの中から一番消費電力の小さい通信回線に対応する通信インターフェイスのみを選択し駆動して該通信回線との接続をし、データを送信することを特徴とする送信装置。
【請求項１３】
請求項１１または１２記載の送信装置は、前記送信装置またはその周辺の状況変化を検出するセンサを備え、前記送信装置が停電時に、一番消費電力の小さい通信インターフェイスでデータを送信中に、前記センサが前記状態変化を検出した場合、前記複数の通信インターフェイスの中で一番通信速度の高い通信回線に対応する通信インターフェイスを選択し駆動して、データ送信を行うことを特徴とする送信装置。
【請求項１４】
請求項１から５のうちいずれか一つの項記載の送信装置において、前記通信回線接続基準は、通信速度、通信費用、消費電力、回線接続に対する信頼性、通信回線の状況、送信装置の状況、送信先受信機の状況のうちの少なくとも１つが含まれることを特徴とする送信装置。
【請求項１５】
通信回線に接続可能な複数の通信インターフェイスを備え、該通信インターフェイスを介してデータの送信を行う送信装置において、データを送信中に通信回線が切断した場合、別の通信回線に対応する通信インターフェイスを駆動して該通信回線との接続をし、データを送信することを特徴とする送信装置の送信方法。
【請求項１６】
通信回線に接続可能な複数の通信インターフェイスを備え、該通信インターフェイスを介してデータの送信を行う送信装置において、データを送信中に通信回線が切断した場合、別の通信回線に対応する通信インターフェイスを駆動して該通信回線との接続をし、通信回線の前記切断中に保存されたデータを、送信するデータとともに送信することを特徴とする送信装置の送信方法。
【請求項１７】
通信回線に接続可能な複数の通信インターフェイスを備え、該通信インターフェイスを介してデータの送信を行う送信装置において、データを送信中に通信回線が切断した場合、別の複数の通信回線に対応する複数の通信インターフェイスを駆動して該複数の通信回線との接続をし、通信回線切断中に保存されたデータと、送信するデータとを、前記接続した複数の通信回線のうちの異なる通信回線により送信することを特徴とする送信装置の送信方法。
【請求項１８】
通信回線に接続可能な複数の通信インターフェイスを備え、該通信インターフェイスを介してデータの送信を行う送信装置において、データを送信中に前記送信装置またはその周辺の状況変化があった場合、データの送信を継続するとともに通信を行っていない通信インターフェイスを接続して該通信インターフェイスに対応する通信回線との接続をし、前記状況変化の時刻の前後のデータを送信することを特徴とする送信装置の送信方法。
【請求項１９】
撮像部と、該撮像部にて撮影された画像データを圧縮する圧縮部と、通信回線に接続可能な複数の通信インターフェイスを有し該通信インターフェイスを介して前記圧縮部で圧縮された圧縮画像データを送信する送信装置を備えたビデオカメラ装置であって、前記圧縮画像データを送信中に前記センサが前記状態変化を検出した場合、送信していない通信インターフェイスを駆動して該通信インターフェイスに対応する通信回線を接続し、保存されているところの前記圧縮画像データよりも圧縮率が小さい高画質データを送信することを特徴とするビデオカメラ装置の送信方法。
【請求項２０】
送信するデータが分割された複数のデータを複数の通信インターフェイスを用いて並列にデータを送信し、データを送信中に通信回線が切断した場合、送信するデータを残りの通信回線の数に対応した数にデータを再分割し、再分割したデータを前記残りの通信回線で送信することを特徴とする送信装置の送信方法。
【発明の詳細な説明】
【０００１】
【発明の属する技術分野】
本発明は、複数の通信回線の各々に接続可能な複数の通信インターフェイスを備え、該通信インターフェイスを介してデータの送信を行う送信装置、送信装置を備えたビデオカメラ装置、送信装置の送信方法およびビデオカメラ装置の送信方法に関するものである。
【０００２】
【従来の技術】
オフィスや店舗等の状況を遠隔地で監視を行う場合、従来の監視システムでは被監視側に設置された監視カメラからＮＴＳＣ信号等のアナログ信号が出力され、これを同軸ケーブル等による専用線を介し、監視側において専用のモニタに出力することで監視を行っている。
【０００３】
また、最近のＩＳＤＮや光ファイバー等の高速デジタル回線やインターネットの普及に伴い、インターネット網を介したネットワーク監視カメラと呼ばれる監視カメラの普及が進んでいる。このネットワーク監視カメラは、パーソナルコンピュータをインターネット網に接続する場合と同様に、インターネット網に直接接続可能であるため、監視システム専用の回線が不要で設置が容易である。
【０００４】
また、パーソナルコンピュータをインターネットに接続すればパーソナルコンピュータ上で監視カメラからの画像を見ることができるため、専用のモニタも必要ない。さらに、無線ＬＡＮやＩＥＥＥ８０２．１５．１規格等によるワイヤレスネットワークなどの無線による高速のデータ通信の普及に伴い、これらを用いてネットワーク監視カメラをインターネットに接続すれば信号ケーブルを監視カメラに接続する必要がないため、より設置が容易になる。
【０００５】
また、複数の無線通信を用いた無線端末装置に関して、従来の技術では、無線ＬＡＮ、ＩＥＥＥ８０２．１５．１規格等によるワイヤレスネットワークおよび移動体通信等の複数の無線通信方式を備えた無線端末装置で、各通信回線の状況、通信費用および消費電力等から最適な通信方式を選択する技術がある（例えば、特許文献１参照）。
【０００６】
【特許文献１】
特開２００２−１１２３４７号公報（第９項、第１図）
【０００７】
【発明が解決しようとする課題】
以上の従来の技術で示した監視カメラ、ネットワーク監視カメラでは、画像データを送信するための通信回線は１回線であるため、通信障害等により回線が切断した場合や、回線の混雑により通信速度が劣化した場合、画像データの送信ができなくなる。
【０００８】
また、特許文献１のように複数の通信手段を有し、通信回線の状況から最適な通信方式を選択する技術を用いた場合であっても、最適な通信回線を選択して画像データを送信中に通信障害や通信回線の混雑等により、通信回線が切断した場合については考慮されていない。さらに、通信回線が切断したため他の通信回線を接続して画像データの送信を行った場合でも、通信が切断されている間の画像データの送信はできない。さらに、監視カメラに異常が起こったことを検知するセンサが異常を検出した場合や停電等により電源供給が断たれた場合等の非常時についても考慮されていない。
【０００９】
本発明の目的は、データを送信中に通信回線が切断した場合であっても、データの送信が可能な送信装置、ビデオカメラ装置、送信装置の送信方法を提供することにある。
【００１０】
本発明の他の目的は、通信回線が切断している間のデータも送信が可能な送信装置、ビデオカメラ装置、送信装置の送信方法を提供することにある。
【００１１】
本発明のさらに他の目的は、データを送信中に、通信していない通信回線を有効利用する送信装置、ビデオカメラ装置、送信装置の送信方法を提供することにある。
【００１２】
本発明の別の目的は、送信装置またはその周辺の状態変化を送信が可能な送信装置、ビデオカメラ装置、送信装置の送信方法、ビデオカメラ装置の送信方法を提供することにある。
【００１３】
本発明のさらに別の目的は、より高画質のデータ量の大きい画像データを送信可能で、且つデータを送信中に通信回線が切断した場合であっても、データの送信が可能な送信装置、ビデオカメラ装置、送信装置の送信方法を提供することにある。
【００１４】
本発明のもう一つの目的は、停電時にもデータを送信が可能な送信装置を提供することにある。
【００１５】
【課題を解決するための手段】
本発明は、複数の通信回線の各々に接続可能な複数の通信インターフェイスを備え、該通信インターフェイスを介してデータの送信を行う送信装置において、データを送信中に通信回線が切断した場合、あらかじめ定められた通信回線接続基準に基づき適した通信回線を選択して該通信回線に対応する通信インターフェイスを駆動して該通信回線との接続をし、データを送信することを特徴とする送信装置である。
【００１６】
本発明は、通信回線に接続可能な複数の通信インターフェイスを備え、該通信インターフェイスを介してデータの送信を行う送信装置において、送信するデータを保存するデータ保存手段を備え、データを送信中に通信回線が切断した場合、あらかじめ定められた通信回線選択基準に基づき適した通信回線を選択して該通信回線に対応する通信インターフェイスを駆動して該通信回線との接続をし、前記データ保存手段に保存されている前記切断中のデータを、送信するデータとともに送信することを特徴とする送信装置である。
【００１７】
本発明は、通信回線に接続可能な複数の通信インターフェイスを備え、該通信インターフェイスを介してデータの送信を行う送信装置において、送信するデータを保存するデータ保存手段を備え、データを送信中に、送信していない通信インターフェイスを駆動して該通信インターフェイスに対応する通信回線を接続し、該通信回線の状況を調べることにより、該通信回線の状況に関する最新情報を得、データを送信中に通信回線が切断した場合、前記最新情報で更新された通信回線接続基準に基づき適した通信回線を選択して該通信回線に対応する通信インターフェイスを駆動して該通信回線との接続をし、前記データ保存手段に保存されている前記切断中のデータを、送信するデータとともに送信することを特徴とする送信装置である。
【００１８】
本発明は、通信回線に接続可能な複数の通信インターフェイスを備え、該通信インターフェイスを介してデータの送信を行う送信装置において、送信するデータを保存するデータ保存手段を備え、データを送信中に、送信していない通信インターフェイスを選択して該通信インターフェイスに対応する通信回線を接続し、該通信回線により外部より通信回線の状況に関する最新情報を取得し、データを送信中に通信回線が切断した場合、前記最新情報を加味した通信回線接続基準に基づき適した通信回線を選択して該通信回線に対応する通信インターフェイスを駆動して該通信回線との接続をし、前記データ保存手段に保存されている前記切断中のデータを、送信するデータとともに送信することを特徴とする送信装置である。
【００１９】
本発明は、通信回線に接続可能な複数の通信インターフェイスを備え、該通信インターフェイスを介してデータの送信を行う送信装置において、送信するデータを保存するデータ保存手段を備え、データを送信中に通信回線が切断した場合、あらかじめ定められた通信回線接続基準に基づき適した複数の通信回線を選択して該複数の通信回線に対応する複数の通信インターフェイスを駆動して該複数の通信回線との接続をし、前記データ保存手段に保存されている前記切断中のデータと、送信するデータとを、前記接続した複数の通信回線のうちの異なる通信回線により送信することを特徴とする送信装置である。
【００２０】
本発明は、上記いずれか一つ記載の送信装置と、撮像部を備え、前記送信装置より送信される送信データが、前記撮像部が撮影した画像データであることを特徴とするビデオカメラ装置である。
【００２１】
本発明は、通信回線に接続可能な複数の通信インターフェイスを備え、該通信インターフェイスを介してデータの送信を行う送信装置において、送信するデータを保存するデータ保存手段と、前記送信装置またはその周辺の状況変化を検出するセンサを備え、データを送信中に前記センサが前記状態変化を検出した場合、データの送信を継続するとともに通信を行っていない通信インターフェイスを接続して該通信インターフェイスに対応する通信回線との接続をし、該通信回線により、前記データ保存手段に保存されている前記センサの前記状態変化の時刻の前後のデータを送信することを特徴とする送信装置である。
【００２２】
本発明は、撮像部と、該撮像部にて撮影された画像データを圧縮する圧縮部と、通信回線に接続可能な複数の通信インターフェイスを有し該通信インターフェイスを介して前記圧縮部で圧縮された圧縮画像データを送信する送信装置を備えたビデオカメラ装置であって、送信する圧縮画像データよりも圧縮率が小さい高画質データを保存するデータ保存手段と、前記送信装置またはその周辺の状況変化を検出するセンサを備え、前記圧縮画像データを送信中に前記センサが前記状態変化を検出した場合、送信していない通信インターフェイスを駆動して該通信インターフェイスに対応する通信回線を接続し、前記データ保持手段に保存されている前記高画質データを送信することを特徴とするビデオカメラ装置である。
【００２３】
本発明は、送信するデータを分割する分割データ処理部を備え、該分割データ処理部にて分割された各々のデータを複数の通信インターフェイスを用いて並列にデータを送信し、データを送信中に通信回線が切断した場合、前記データ分割処理部の送信するデータの分割数を残りの通信回線の数に対応した数にデータを再分割し、再分割したデータを前記残りの通信回線で送信することを特徴とする送信装置である。
【００２４】
本発明は、上記記載の送信装置と、撮像部を備え、前記送信装置より送信される分割された送信データが、前記撮像部が撮影した画像データを分割した画像データであることを特徴とするビデオカメラ装置である。
【００２５】
本発明は、上記のうちいずれか一つの項記載の送信装置またはビデオカメラ装置が、バッテリーを備え、停電時に前記送信装置の電源を前記バッテリーに切り換えるとともに、前記送信装置がデータ送信を行っている場合、複数の通信インターフェイスの中から通信回線に接続した際一番消費電力の小さい通信回線に対応する通信インターフェイスを選択し駆動して該通信回線との接続をし、データを送信することを特徴とする送信装置である。
【００２６】
本発明は、上記記載の送信装置が、バッテリーを備え、停電時に前記送信装置の電源を前記バッテリーに切り換えるとともに、前記送信装置が送信データを分割して複数の通信回線を用いてデータ送信を行っている場合、通信を行っている複数の通信インターフェイスの中から一番消費電力の小さい通信回線に対応する通信インターフェイスのみを選択し駆動して該通信回線との接続をし、データを送信することを特徴とする送信装置である。
【００２７】
本発明は、上記のうちいずれか記載の送信装置が、前記送信装置またはその周辺の状況変化を検出するセンサを備え、前記送信装置が停電時に、一番消費電力の小さい通信インターフェイスでデータを送信中に、前記センサが前記状態変化を検出した場合、前記複数の通信インターフェイスの中で一番通信速度の高い通信回線に対応する通信インターフェイスを選択し駆動して、データ送信を行うことを特徴とする送信装置である。
【００２８】
本発明は、上記のうちいずれか一つの項記載の送信装置において、前記通信回線接続基準が、通信速度、通信費用、消費電力、回線接続に対する信頼性、通信回線の状況、送信装置の状況、送信先受信機の状況のうちの少なくとも１つが含まれることを特徴とする送信装置である。
【００２９】
本発明は、通信回線に接続可能な複数の通信インターフェイスを備え、該通信インターフェイスを介してデータの送信を行う送信装置において、データを送信中に通信回線が切断した場合、別の通信回線に対応する通信インターフェイスを駆動して該通信回線との接続をし、データを送信することを特徴とする送信装置の送信方法である。
【００３０】
本発明は、通信回線に接続可能な複数の通信インターフェイスを備え、該通信インターフェイスを介してデータの送信を行う送信装置において、データを送信中に通信回線が切断した場合、別の通信回線に対応する通信インターフェイスを駆動して該通信回線との接続をし、通信回線の前記切断中に保存されたデータを、送信するデータとともに送信することを特徴とする送信装置の送信方法である。
【００３１】
本発明は、通信回線に接続可能な複数の通信インターフェイスを備え、該通信インターフェイスを介してデータの送信を行う送信装置において、データを送信中に通信回線が切断した場合、別の複数の通信回線に対応する複数の通信インターフェイスを駆動して該複数の通信回線との接続をし、通信回線切断中に保存されたデータと、送信するデータとを、前記接続した複数の通信回線のうちの異なる通信回線により送信することを特徴とする送信装置の送信方法である。
【００３２】
本発明は、通信回線に接続可能な複数の通信インターフェイスを備え、該通信インターフェイスを介してデータの送信を行う送信装置において、データを送信中に前記送信装置またはその周辺の状況変化があった場合、データの送信を継続するとともに通信を行っていない通信インターフェイスを接続して該通信インターフェイスに対応する通信回線との接続をし、前記状況変化の時刻の前後のデータを送信することを特徴とする送信装置の送信方法である。
【００３３】
本発明は、撮像部と、該撮像部にて撮影された画像データを圧縮する圧縮部と、通信回線に接続可能な複数の通信インターフェイスを有し該通信インターフェイスを介して前記圧縮部で圧縮された圧縮画像データを送信する送信装置を備えたビデオカメラ装置であって、前記圧縮画像データを送信中に前記センサが前記状態変化を検出した場合、送信していない通信インターフェイスを駆動して該通信インターフェイスに対応する通信回線を接続し、保存されているところの前記圧縮画像データよりも圧縮率が小さい高画質データを送信することを特徴とするビデオカメラ装置の送信方法である。
【００３４】
本発明は、送信するデータが分割された複数のデータを複数の通信インターフェイスを用いて並列にデータを送信し、データを送信中に通信回線が切断した場合、送信するデータを残りの通信回線の数に対応した数にデータを再分割し、再分割したデータを前記残りの通信回線で送信することを特徴とする送信装置の送信方法である。
【００３５】
【発明の実施の形態】
本発明によるビデオカメラ装置の第１の実施の形態を図１、図２および図５（ａ）を用いて説明する。
図１は、ネットワーク監視カメラと、これに接続される通信回線と、ネットワーク監視カメラで撮影された画像データを受信して監視を行うモニタ装置を含めた監視システム全体のブロック図であり、図のネットワーク監視カメラは本発明によるビデオカメラ装置の実施の形態である。
【００３６】
図１の監視システムは、ネットワーク監視カメラ１０１、ネットワーク監視カメラ１０１からの画像データを受信するとともに監視カメラを制御するコントローラ１２１、ネットワーク監視カメラ１０１からの画像データを表示するモニタ１２２、無線ＬＡＮのアクセスポイント（移動体通信では基地局に相当）１３１、無線ＬＡＮのアクセスポイント１３１が接続される構内網（ＬＡＮ）１３３、移動体通信の基地局１３２、各通信回線の状況に関する情報を発信する通信回線情報発信局１３８、基地局１３２や通信回線情報発信局１３８が接続される公衆回線網１３４、インターネット網１３５、各通信網を接続するインターフェイス１３６，１３７より構成される。
【００３７】
さらに、ネットワーク監視カメラ１０１は、カメラ１０２、カメラ１０２からの画像データを圧縮する圧縮部１０３、画像データを一定期間保存するバッファ１０４、被監視側に異常があった場合、これを感知する異常検出部１０５、ネットワーク監視カメラ１０１を制御する制御部１０６、停電時にネットワーク監視カメラ１０１をバッテリー駆動するバッテリー１０７、画像データや通信回線の接続基準に関する情報を格納する記憶装置１０８、通信回線と接続される通信インターフェイス１０９，１１０，１１１，１１２より構成され、さらに、圧縮部１０３はカメラ１０２からの画像データを圧縮して通信インターフェイス１０９〜１１２に出力する圧縮部Ａ１１３とカメラ１０２からの画像データを圧縮してバッファ１０４に出力する圧縮部Ｂ１１４より構成される。
【００３８】
また、コントローラ１２１は、ネットワーク監視カメラ１０１からの画像データを受信するための通信インターフェイス１２５、１２６、コントローラ１２１を制御する制御部１２３、ネットワーク監視カメラ１０１からの画像データ等を格納する記憶装置１２４より構成される。
【００３９】
また、モニタ１２２は、コントローラ１２１の通信インターフェイス１２５、１２６に接続されている。
【００４０】
次に、ネットワーク監視カメラ１０１の記憶装置１０８に格納されている通信回線の接続基準に関する情報の一例を図５（ａ）を用いて説明する。図の例では、接続が可能な通信回線ごとに通信速度、時間あたりの通信単価および消費電力が記録されており、制御部１０６は、この情報を参照することにより、接続する通信インターフェイスの接続優先順位を決定する。例えば、コントローラ１２１から、詳細な画像の要求があった場合は、図５（ａ）を参照して通信速度の高い順に優先順位を付し、その中で最も優先順位の高い通信回線を選択する。また、停電等でバッテリー１０７によりネットワーク監視カメラ１０１を駆動する場合は、図５（ａ）を参照して消費電力の少ない順に優先順位を付し、その中で最も優先順位の高い通信回線を選択する。
【００４１】
以上の監視システムにおいて、ネットワーク監視カメラ１０１で撮影された画像を監視側のモニタ１２２に出力する場合についての動作を説明する。
【００４２】
カメラ１０２で被監視物体を撮影した映像データは、圧縮部１０３の圧縮部Ｂ１１４により圧縮された後、バッファ１０４により画像データとして一定期間保存されるとともに、圧縮部１０３の圧縮部Ａ１１３により圧縮され各通信インターフェイス１０９〜１１２に出力する。
【００４３】
次に、監視側のコントローラ１２１より、画像データの送信要求があった場合、ネットワーク監視カメラ１０１の制御部１０６は、記憶装置１０８に格納されている各通信回線の通信速度、通信費用等の通信回線の状況に関する情報に基づき、コントローラ１２１からの高画質データ要求の有無や監視側での停電の有無等を考慮して決定される優先順位から最も優先順位の高い通信インターフェイスを通信インターフェイス１０９〜１１２から選択し、この選択された通信回線を介し、バッファ１０４に保存された画像データを監視側のコントローラ１２１に送信する。コントローラ１２１の制御部１２３では、送信に用いられた通信回線に対応した通信インターフェイスを介して送信された画像データを受信し、モニタ１２２に出力する。
【００４４】
次に、ネットワーク監視カメラ１０１からの画像データを送信中に、通信回線が通信障害等により通信回線が切断された場合、他の回線に接続しデータ送信を行う場合の動作を図１を参照しながら、図２のフローチャート図を用いて説明する。なお、通信回線の切り換えの例として、インターネット網１３５に接続し、データ送信中に、この回線が回線の混雑等により切断したため、残りの回線で最適な回線として公衆回線網１３４に接続してデータ送信を行う場合について説明する。
【００４５】
コントローラ１２１より送信要求があった場合、制御部１０６は記憶装置１０８に格納されている通信回線の状況に関する情報に基づき最も優先順位の高い通信回線（例ではインターネット網１３５）にコントローラ１２１を接続し、画像データ送信が行われる（ステップＳ２０１〜Ｓ２０２）。
【００４６】
このとき回線の切断等がなければ接続した回線でデータ送信が行われ、もし、通信回線が切断した場合、あるいは通信回線の通信速度が劣化し、データ送信が不可となった場合（ステップＳ２０３）、制御部１０６は画像データの送信を停止させるとともに（ただし、カメラ１０２からの映像データは、常にバッファ１０４に保存されている）、記憶装置１０８に格納されている通信回線の接続基準に関する情報を参照することにより、残りの回線の中で最も優先順位の高い通信回線（例では公衆回線網１３４）を選択し、これに対応する通信インターフェイス（例では通信インターフェイス１１１）をオン状態とし、通信回線との接続を開始する（ステップＳ２０４）。
【００４７】
もし、選択した通信回線が接続可能であれば接続し（ステップＳ２０５、Ｓ２０９）、圧縮部１０３より出力される画像データを接続した通信回線より送信するとともに、バッファ１０４に保存されている画像データの中から画像データの送信が中断していた間の画像データを送信する（ステップＳ２１０）。
【００４８】
このとき例えば、圧縮部１０３の圧縮部Ａ１１３より出力される画像データとバッファ１０４からの画像データの送信を行う通信インターフェイス（例では通信インターフェイス１１１）において、それぞれの画像データを画像圧縮するなどして、モニタ１２２の画面の左側と右側で画面分割して表示するようにしたり、圧縮部１０３の圧縮部Ａ１１３より出力される画像の一部にバッファ１０４からの画像を子画面として挿入するようにしたりすれば、１つの回線で同時に２つの画像データの送信が可能である。
【００４９】
そして、データ送信が中断していた間の画像データの送信が終了したならば、圧縮部１０３の圧縮部Ａ１１３からの画像データのみを送信する（ステップＳ２１１、Ｓ２１２）。
【００５０】
また、もし、ステップＳ２０５において、選択した通信回線が通信障害等により、接続不可であれば、次に優先順位の高い通信回線を選択し接続可能かどうか調べる（ステップＳ２０６，Ｓ２０７）。ここで、すべての通信回線が接続不可であった場合は、コントローラ１２１の制御部１２３はモニタ１２２に通信不良のメッセージを出力し、送信を停止する（ステップＳ２０８）。
【００５１】
以上のビデオカメラ装置の第１の実施の形態では、複数の通信回線に接続可能な複数の通信インターフェイスを持つとともに、複数の通信回線から最適な回線を選択し、送信が中断している間の画像データを通信回線接続後、送信することにより、画像データを送信中に通信回線が切断した場合、残りの回線で最適な回線で送信することができる。
【００５２】
さらに、通信が中断している間の画像データも通信回線接続後、画像データと共に送信可能であるので、通信回線の通信状態の劣化や変化の影響が少ないビデオカメラ装置を得ることができる。
【００５３】
本発明によるビデオカメラ装置の第２の実施の形態を図１、図３および図５（ｂ）を用いて説明する。
まず、本発明によるビデオカメラ装置の第２の実施の形態において、ネットワーク監視カメラ１０１で撮影された画像を監視側のモニタ１２２に出力する場合についての動作を第１の実施の形態と同様、図１を用いて説明する。
【００５４】
図において、第１の実施の形態と異なる動作は、圧縮部１０３の圧縮部Ａ１１３からの画像データを送信している間にデータ送信を行っていない通信インターフェイスを定期的にオン状態にして、通信速度等の通信回線に関する情報を得ることにより、記憶装置１０８に格納されている通信回線の接続基準に関する情報を更新する点であり、その他は第１の実施の形態と同様である。
【００５５】
次に通信回線を定期的にオン状態にして得られる通信回線の接続基準に関する情報の一例を図５（ｂ）により説明する。
【００５６】
図の例では各時刻に対する平均の通信速度や、実際に接続ができたかどうかの接続成功率を通信回線ごとに記録している。このように第２の実施の形態では、定期的に各回線を接続するので、各時刻に対する統計を取ることができるので、各時刻に対する平均の通信速度や接続成功率を通信回線ごとに求めることも可能である。
【００５７】
次にデータ送信中に通信回線が切断した場合の動作を図１を参照しながら、図３のフローチャート図を用いて説明する。なお、第１の実施の形態と同様の動作を行うものには同一の符号を付し、説明を省略する。
【００５８】
図３において、図１のコントローラ１２１より送信要求があった場合、制御部１０６は記憶装置１０８にあらかじめ格納されている通信回線に関する情報に基づき最も優先順位の高い通信インターフェイスを選択接続し（ステップＳ２０１）、この選択された通信回線を介し画像データを監視側のコントローラ１２１に送信する（ステップＳ２０２）。
【００５９】
ここで、画像データ送信中、一定期間が経過したら、送信を行っていない通信インターフェイスをオン状態とする（ステップＳ２０３、Ｓ３０３、Ｓ３０４）ことにより、データ送信を行っていない回線の通信の可否状況、通信速度、送信先受信機の状況等通信回線に関する情報を調べ、記憶装置１０８に格納されている通信回線の状況に関する情報の更新を行う（ステップＳ３０５）。
【００６０】
そして、ステップＳ２０３において、通信回線が切断した場合、あるいは通信回線の通信速度が劣化し、データ送信が不可となった場合、画像データの送信を停止する（ステップＳ３０１）。そして、記憶装置１０８に記録されている通信回線の状況に関する情報を読み出し、この情報から、残りの通信回線の中から最も優先順位の高い通信インターフェイスを選択する（ステップＳ３０２）。もし、選択した回線が接続可能ならば、圧縮部１０３の圧縮部Ａ１１３より出力される画像データとともにバッファ１０４からの通信が切断している間の画像データを送信し（ステップ２０５、Ｓ２０９、Ｓ２１０）、また、選択した通信回線が接続不可であれば、さらに残りの通信インターフェイスで接続を行う（ステップ２０５、Ｓ２０７）。
【００６１】
以上のビデオカメラ装置の第２の実施の形態では、第１の実施の形態と同様の効果が得られる上に、定期的に通信回線の状況を知ることができるので、より最適な通信回線を選択することができるとともに、通信接続成功率の改善により通信回線の平均の接続時間の短縮を図ることができる。
【００６２】
次に本発明によるビデオカメラ装置の第３の実施の形態を図１および図４を用いて説明する。  まず、本発明によるビデオカメラ装置の第３の実施の形態において、ネットワーク監視カメラ１０１で撮影された画像を監視側のモニタ１２２に出力する場合についての動作を第１の実施の形態と同様、図１を用いて説明する。
【００６３】
図において、第１の実施の形態と異なる動作は、通信回線情報発信局１３８より各通信回線の状況に関する情報をデータ送信を行っていない通信回線を介して得ることにより、記憶装置１０８に格納されている通信回線の接続基準に関する情報を更新する点であり、その他の動作は第１の実施の形態と同様である。
【００６４】
次に以上の動作およびデータ送信中に通信回線が切断した場合の動作を図１を参照しながら、図４のフローチャート図を用いて説明する。なお、第１の実施の形態および第２の実施の形態と同様の動作を行うものには同一の符号を付し、説明を省略する。
【００６５】
図４において、図１のコントローラ１２１より送信要求があった場合、制御部１０６は記憶装置１０８にあらかじめ格納されている通信回線に関する情報に基づき最も優先順位の高い通信インターフェイスを選択接続し（ステップＳ２０１）、この接続された通信回線を介し画像データを監視側のコントローラ１２１に送信する（ステップＳ２０２）。
【００６６】
ここで、通信回線情報発信局１３８から各通信回線の状況に関する情報を、データ送信を行っていない通信回線のうち接続可能な回線を介して読み込み、もし、記憶装置１０８に格納されている通信回線の状況に関する情報に変更があったならば、更新された各通信回線の状況に関する情報をダウンロードする（ステップＳ４０２、Ｓ４０３）。
【００６７】
そして、もし、通信回線が切断した場合、あるいは通信回線の通信速度が劣化し、データ送信が不可となった場合、画像データの送信を停止する（ステップＳ２０３、Ｓ３０１）。そして、記憶装置１０８に記録されている通信回線の状況に関する情報を読み出し、この情報から、残りの通信回線の中から最適な回線を選択する（ステップＳ４０１）。
【００６８】
もし、選択した回線が接続可能ならば、圧縮部１０３の圧縮部Ａ１１３より出力される画像データとともにバッファ１０４に保存された回線が切断している間の画像データを送信する（ステップＳ２０５、Ｓ２０９，Ｓ２１０）。また、選択した通信回線が接続不可であれば、さらに残りの回線で接続を行う（ステップＳ２０５、Ｓ２０６、Ｓ２０７）。
【００６９】
以上のビデオカメラ装置の第３の実施の形態では、第１の実施の形態と同様の効果が得られる上に、通信回線情報発信局１３８から随時、通信回線の状況が得られることで、より最適な通信回線を選択することができるとともに、通信接続成功率の改善により通信回線の平均接続時間の短縮を図ることができる。
【００７０】
次に本発明によるビデオカメラ装置の第４の実施の形態を図１および図６を用いて説明する。本発明によるビデオカメラ装置の第４の実施の形態において、ネットワーク監視カメラ１０１で撮影された画像を監視側のモニタ１２２に出力する場合についての動作は第３の実施の形態と同様であり、説明を省略する。
【００７１】
次に、ネットワーク監視カメラ１０１からの画像データを送信中に、通信回線が切断された場合、他の回線に接続しデータ送信を行う場合の動作を図１を参照しながら、図６のフローチャート図を用いて説明する。
【００７２】
なお、通信回線の切り換えの例として、無線ＬＡＮのアクセスポイント１３１に接続中に、この回線が切断したため、残りの回線で最適な回線として公衆回線網１３４とインターネット網１３５の複数の通信回線に接続する場合について説明する。
【００７３】
コントローラ１２１より送信要求があり記憶装置１０８にあらかじめ記録されている通信回線に関する情報に基づき最も優先順位の高い通信回線Ａ（例では無線ＬＡＮのアクセスポイント１３１）に接続し、画像データ送信が行われる（ステップＳ２０１〜Ｓ２０２）。この例では、無線ＬＡＮのアクセスポイント１３１は構内網１３３とインターフェイス１３６と公衆回線網１３４を介しコントローラ１２１に画像データが送信される。
【００７４】
そして、このとき回線の切断等がなければ接続した回線でデータ送信が行われ、もし、通信回線が切断した場合（ステップＳ２０３）、制御部１０６は画像データの送信を停止させるとともに（ただし、カメラ１０２からの映像データは、圧縮部１０３の圧縮部Ｂ１１４を介し常にバッファ１０４に保存されている。ステップＳ３０１）、記憶装置１０８に記録されている通信回線の接続基準に関する情報を参照することにより、残りの回線の中で最も優先順位の高い通信回線Ｂと通信回線Ｃ（例では公衆回線網１３４とインターネット網１３５）を選択する（ステップＳ６０１）。
【００７５】
そして、選択した通信回線Ｂ、Ｃが接続可能であればそれぞれ接続（ステップＳ６０７）し、圧縮部１０３の圧縮部Ａ１１３より出力される画像データを通信回線Ｂで、バッファ１０４に保存された送信が中断していた間の画像データを通信回線Ｃで送信する（ステップＳ６０８）。そして、バッファ１０４に保存された画像データの送信が終了したならば、通信回線Ｃを切断し、圧縮部１０３からの画像データのみを通信回線Ｂにて送信する（ステップＳ６０９、Ｓ６１０）。
【００７６】
また、もし、ステップＳ６０２において、選択した通信回線Ｂ、Ｃのうちのどちらかが通信障害等により接続不可であれば、第３の実施の形態と同様に１つの通信回線で圧縮部１０３の圧縮部Ａ１１３からの画像データとともにバッファ１０４の画像データを送信する（ステップＳ６０４〜Ｓ６０６）。また、ステップＳ６０２において、接続可能な通信回線がない場合にはコントローラ１２１の制御部１２３はモニタ１２２に通信不良のメッセージを出力して送信を停止する（ステップＳ２０８）
以上の第４の実施の形態について、画像データを送信中に、通信回線が切断した場合、他の回線に接続しデータ送信を行うまでの動作を再度、図７を用いて詳細に説明する。図の横方向は時間の流れとデータの流れを同時に示した模式図であり、通信回線Ａで圧縮部１０３より出力される画像データを送信中、ｔ２にて回線が切断されたとする。このとき、最適な回線として通信回線Ｂ、Ｃを選択し接続を開始する。そして、ｔ３で通信回線Ｂの接続が完了したら圧縮部１０３より出力される画像データを通信回線Ｂを介し出力する。さらに、ｔ４で通信回線Ｃの接続が完了したら、送信が中断していた間のｔ２からｔ３までのバッファのデータを通信回線Ｃを介し送信する。
【００７７】
以上のビデオカメラ装置の第４の実施の形態では、第３の実施の形態と同様の効果が得られる上に、画像データ送信中に通信回線が切断された場合、複数の通信回線を接続して圧縮部１０３より出力される画像データとバッファ１０４の画像データをそれぞれ別の通信回線で送信することができるので、１つの回線で画像データとバッファに保存された画像データを同時に送信する場合のようにそれぞれの画像データのデータ量を減らして（すなわち、圧縮率を高くする）送信する必要はない。
【００７８】
さらに、圧縮部１０３の圧縮部Ｂ１１４の圧縮率を圧縮部Ａ１１３よりも低くすることにより、バッファ１０４に保存される画像データを圧縮部Ａ１１３を介して送信される画像データよりも高画質な画像データで保存するようにすれば、送信されるバッファデータの画像は、より高画質な画像データを送信することができるし、バッファ１０４の容量によっては送信が中断している前後の画像データについても送信可能である。
【００７９】
特に監視カメラの場合、被監視側で何か異常が生じて通信回線が切断した場合も考えられるので、通信が切断した前後の画像については、より高画質な画像のほうが望ましい。なお、送信される画像データの画質は、圧縮部１０３において、圧縮率を高くすれば画質の粗い、データ量の少ない画像データが得られるし、圧縮率を低くすれば高画質のデータ量の大きい画像データが得られる。
【００８０】
本発明によるビデオカメラ装置の第５の実施の形態を図１および図８を用いて説明する。  本発明によるビデオカメラ装置の第５の実施の形態において、ネットワーク監視カメラ１０１で撮影された画像を監視側のモニタ１２２に出力する場合についての動作は第４の実施の形態と同様であり、説明を省略する。
【００８１】
次に、ネットワーク監視カメラ１０１からの画像データを送信中に、ネットワーク監視カメラ１０１の異常検出部１０５が異常を検知した場合の動作を図１を参照しながら、図８のフローチャート図を用いて説明する。なお、ここでの異常検出の例は、監視を行っている事務所や家屋等に不審者が侵入した場合に、異常検出部１０５に備えられたマイクによる特定の音の検出、赤外線センサによる人の検出やカメラ１０２からの映像データによる動き検出等を用いてこれを検知する場合である。
【００８２】
コントローラ１２１より送信要求があり最も優先順位の高い通信回線Ａに接続し、画像データ送信が行われる（ステップＳ２０１〜Ｓ２０２）。
【００８３】
そして、このとき異常検出部１０５が異常を検知しなければ接続した回線でデータ送信が行われ、もし、不審者の侵入等により異常検出部１０５が異常を検知した場合（ステップＳ８０１）、制御部１０６は残りの回線の中で最適な通信回線Ｂを選択する（ステップＳ８０２）。
【００８４】
そして、選択した通信回線Ｂが接続可能であれば接続（ステップＳ８０３、Ｓ８０７）し、圧縮部１０３より出力される画像データを通信回線Ａで継続して送信するとともに、バッファ１０４に保存されている画像データの中から異常検出部１０５が異常を検知した前後の画像データを通信回線Ｂにより送信する（ステップＳ８０８）。なお、バッファ１０４に保存される画像データは送信時に高画質な画像データとして送信するため、圧縮部１０３の圧縮部Ｂ１１４の圧縮率を圧縮部Ａ１１３よりも低くしてバッファ１０４に保存される画像データを圧縮部Ａ１１３を介して送信される画像データよりも高画質な画像データで保存する。
【００８５】
そして、バッファ１０４のデータの送信が完了したら、通信回線Ｂを切断する（ステップＳ８０９、Ｓ８１０）。
【００８６】
また、もし、ステップＳ８０３において、選択した通信回線Ｂが接続不可（ステップＳ８０４）であれば、さらに残りの回線で最も優先順位の高い回線を選択（ステップＳ８０５）する。もし、通信回線Ａ以外に通信可能な回線がなければ、コントローラ１２１の制御部１２３はモニタ１２２にバッファに保存されたデータの送信が不可であるメッセージを表示し（ステップＳ８０６）、圧縮部１０３より出力される画像データのみを継続して通信回線Ａにより送信する。
【００８７】
以上の第５の実施の形態について、画像データを送信中に、異常検出部１０５が異常を検知した場合についての動作を再度、図９を用いて詳細に説明する。
【００８８】
図の横方向は時間の流れとデータの流れを同時に示した模式図であり、通信回線Ａで圧縮部１０３の圧縮部Ａ１１３より出力される画像データを送信中、ｔ２にて異常が検知されたとする。このとき、他の通信回線Ｂを選択し接続を開始する。そして、ｔ４で通信回線Ｂの接続が完了したら、異常が検知された前後としてｔ１からｔ３間のバッファ１０４に保存されている高画質な画像データを通信回線Ｂにより送信し、バッファデータの送信が完了したら通信回線Ｂを切断する。
【００８９】
以上のビデオカメラ装置の第５の実施の形態では画像データ送信中に異常が感知された場合、他の通信回線Ｂを新たに接続して、異常が感知された前後のバッファ１０４に保存された高画質の画像データをこの通信回線を用いて送信することにより、異常が検知された前後の画像データを高画質の画像データで送信することができる。特に監視カメラの場合、被監視側で何か異常が生じた場合の前後の画像については、より高画質な画像のほうが望ましい。
【００９０】
次に本発明によるビデオカメラ装置の第６の実施の形態を図１０を用いて説明する。
図１０はネットワーク監視カメラ１０１で撮影された画像を監視側のモニタ１２２に出力する場合の動作を説明するためのものであり、第１の実施の形態の場合と同様の動作を行う部分には同一の符号を付し説明を省略する。
【００９１】
図１０は図１と比較して、ネットワーク監視カメラ１０１において、圧縮部１０３からの画像データを接続可能な通信回線数に応じて分割するデータ分割処理部１００１を有するとともに、コントローラ１２１は受信したネットワーク監視カメラ１０１からの複数の回線により分割されて送信された画像データを組み立てる分割データ組立て部１００２を有する点が異なる。
【００９２】
次に図１０においてネットワーク監視カメラ１０１で撮影された画像を監視側のモニタ１２２に出力する場合の動作について説明する。
【００９３】
カメラ１０２で被監視物体を撮影した映像データは、圧縮部１０３の圧縮部Ｂ１１４により圧縮された後、バッファ１０４により一定期間保存されるとともに、圧縮部１０３の圧縮部Ａ１１３により圧縮され分割データ処理部１００１に入力される。また、制御部１０６では通信インターフェイス１０９から１１２をオン状態にして各通信回線に接続し、通信可能な通信回線を調べ、通信可能な通信回線数に対応して分割データ処理部１００１の分割数を決定し、通信可能な通信回線に対応する通信インターフェイスに分割された画像データを出力することで、画像データが分割されて送信される。
【００９４】
また、コントローラ１２１では、送信される画像データの分割数に対応した通信インターフェイスをオン状態にしてネットワーク監視カメラ１０１からの分割された画像データを受信し、受信した画像データを分割データ組立て部１００２に出力する。分割データ組立て部１００２では入力された分割された画像データを組立てモニタ１２２に出力する。このとき、複数の通信回線を用いて画像データを送信している時に通信中の回線のうちどれかが通信障害や通信速度の劣化により通信が切断した場合、これに対応して、分割データ処理部１００１および分割データ組立て部１００２の分割数を変えることにより、残りの通信可能な回線で画像データの送信が可能となる。
【００９５】
以上の本発明によるビデオカメラ装置の第６の実施の形態では、画像データを分割して複数の通信回線を用いて送信することにより、一つの通信回線で送信する場合に比べ、通信速度を大きくすることができるので、より高画質のデータ量の大きい画像データを送信するころができるビデオカメラ装置を得ることができる。さらに、画像データ送信中に、複数の通信回線の一部が切断した場合であっても残りの回線で通信可能であるため、通信回線の通信状況の影響が少ないビデオカメラ装置を得ることができる。
【００９６】
次に、本発明によるビデオカメラ装置の第７の実施の形態を図１および図１１を用いて説明する。本発明によるビデオカメラ装置の第１の実施の形態において、ネットワーク監視カメラ１０１で撮影された画像を監視側のモニタ１２２に出力する場合についての動作は第１の実施の形態と同様であり、説明を省略する。
【００９７】
次に、ネットワーク監視カメラ１０１が停電等の異常により外部からの電源供給が断たれた場合に、監視カメラに搭載されたバッテリー１０７への切り換え時の動作を図１を参照しながら図１１のフローチャート図を用いて説明する。
【００９８】
コントローラ１２１より送信要求があった場合、制御部１０６は記憶装置１０８に格納されている通信回線の状況に関する情報に基づき最も優先順位の高い通信回線（例ではインターネット網１３５）にコントローラ１２１を接続し、画像データ送信が行われる（ステップＳ２０１〜Ｓ２０２）。
【００９９】
そして、もし、画像データ送信中に停電となった場合（ステップＳ１１０１）、電源をバッテリー１０７に切り換える（ステップＳ１１０２）。
【０１００】
このとき、通信回線に接続した際一番消費電力の小さい通信回線に対応する通信インターフェイスを選択する（ステップＳ１１０３）。
【０１０１】
もし、選択した通信インターフェイスに対応する通信回線が接続可能ならば、圧縮部１０３の圧縮部Ａ１１３より出力される画像データとともにバッファ１０４に保存された回線が切断している間の画像データを送信する（ステップＳ２０５、Ｓ２０９，Ｓ２１０）。また、選択した通信回線が接続不可であれば、さらに残りの回線で接続を行う（ステップＳ２０５、Ｓ２０６、Ｓ２０７）。
【０１０２】
次に、本発明によるビデオカメラ装置の第８の実施の形態を図１０および図１２を用いて説明する。本発明によるビデオカメラ装置の第８の実施の形態において、ネットワーク監視カメラ１０１で撮影された画像を監視側のモニタ１２２に出力する場合についての動作は第６の実施の形態と同様であり、説明を省略する。
【０１０３】
次に、ネットワーク監視カメラ１０１が停電等の異常により外部からの電源供給が断たれた場合に、監視カメラに搭載されたバッテリー１０７への切り換え時の動作を図１０を参照しながら図１２のフローチャート図を用いて説明する。
【０１０４】
コントローラ１２１より送信要求があり、接続可能な複数の通信回線に接続し、並列で分割された画像データを送信する（ステップＳ１２０１〜Ｓ１２０２）。
【０１０５】
そして、もし、画像データ送信中に停電となった場合（ステップＳ１１０１）、電源をバッテリー１０７に切り換える（ステップＳ１１０２）。
【０１０６】
このとき、通信を行っている複数の通信回線の中から、消費電力の一番小さい通信回線のみで画像データのデータ送信を行い、残りの通信回線は回線の切断を行う（ステップＳ１２０３）。このとき、送信される画像データは、選択した回線の伝送速度に対応して、通信インターフェイスにおいて通信速度が調整される。そして、消費電力の一番小さい通信回線のみで画像データのデータ送信中に、異常検出部１０５が異常を検知しなければ接続した回線でデータ送信が行われる。
【０１０７】
もし、異常検出部１０５が不審者の侵入等により異常を検知した場合（ステップＳ１２０４）、制御部１０６は残りの通信回線の中で消費電力の一番少ない通信回線を選択して接続し、データ送信する。
【０１０８】
次に、残りの通信回線の中で通信速度の一番高い通信回線を選択する（ステップＳ１２０６）。そして、選択した通信回線が接続可能であれば接続するとともに、画像データの送信を開始する（ステップＳ１２０７、Ｓ１２０９）。このとき送信される画像データは、通信速度の一番高い回線を選択しているため、ネットワーク監視カメラ１０１の消費電力は大きくなるが、最も高画質となる。
【０１０９】
また、ステップＳ１２０７において、選択した通信回線が接続不可ならは、次に通信速度の高い回線を選択する（ステップＳ１２０８）。
【０１１０】
以上のビデオカメラ装置の第７の実施の形態では、停電時にネットワーク監視カメラ１０１の電源をバッテリー駆動とすることにより、停電中も画像データの送信が可能となる上に、接続中の複数の通信回線の中から一番消費電力の少ない回線のみで画像データを送信することで、バッテリー駆動時間をより長くすることができる。さらに、バッテリー駆動時に異常を感知した場合には、通信速度の一番高い回線に切り換えることで、異常時には、より高画質な画像データの送信が可能となる。
【０１１１】
【発明の効果】
本発明によれば、データを送信中に通信回線が切断した場合であっても、データの送信が可能な送信装置、ビデオカメラ装置、送信装置の送信方法を得ることができる。また、本発明によれば、通信回線が切断している間のデータも送信が可能な送信装置、ビデオカメラ装置、送信装置の送信方法を得ることができる。また、本発明によれば、データを送信中に、通信していない通信回線を有効利用する送信装置、ビデオカメラ装置、送信装置の送信方法を得ることができる。また、本発明によれば、送信装置またはその周辺の状態変化を送信が可能な送信装置、ビデオカメラ装置、送信装置の送信方法、ビデオカメラ装置の送信方法を得ることができる。また、本発明によれば、より高画質のデータ量の大きい画像データを送信可能で、且つデータを送信中に通信回線が切断した場合であっても、データの送信が可能な送信装置、ビデオカメラ装置、送信装置の送信方法を得ることができる。また、本発明によれば、停電時にもデータを送信が可能な送信装置を得ることができる。
【図面の簡単な説明】
【図１】本発明のビデオカメラ装置を用いた監視システム全体を示すブロック図である。
【図２】本発明のビデオカメラ装置の第１の実施の形態を示すフローチャート図である。
【図３】本発明のビデオカメラ装置の第２の実施の形態を示すフローチャート図である。
【図４】本発明のビデオカメラ装置の第３の実施の形態を示すフローチャート図である。
【図５】本発明のビデオカメラ装置の最適な通信回線を選択するための通信回線選択基準の例である。
【図６】本発明のビデオカメラ装置の第４の実施の形態を示すフローチャート図である。
【図７】本発明のビデオカメラ装置の第４の実施の形態を動作を示した模式図である。
【図８】本発明のビデオカメラ装置の第５の実施の形態を示すフローチャート図である。
【図９】本発明のビデオカメラ装置の第５の実施の形態を動作を示した模式図である。
【図１０】本発明のビデオカメラ装置の第６の実施の形態を示す監視システム全体のブロック図である。
【図１１】本発明のビデオカメラ装置の第７の実施の形態を示すフローチャート図である。
【図１２】本発明のビデオカメラ装置の第８の実施の形態を示すフローチャート図である。
【符号の説明】
１０１…ネットワーク監視カメラ、１０２…カメラ、１０３…圧縮部、１０４…バッファ、１０５…異常検出部、１０６、１２３…制御部、１０７…バッテリー、１０８、１２４…記憶装置、１０９、１１０、１１１、１１２、１２５、１２６…通信インターフェイス、１２１…コントローラ、１２２…モニタ、１３１…アクセスポイント、１３２…基地局、１３３…構内網、１３４…公衆回線網、１３５…インターネット網、１３６、１３７…インターフェイス、１３８…通信回線情報発信局、１００１…分割データ処理部、１００２…分割データ合成部。
【図１】
2004171379.tif 000003
【図２】
2004171379.tif 000004
【図３】
2004171379.tif 000005
【図４】
2004171379.tif 000006
【図５】
2004171379.tif 000007
【図６】
2004171379.tif 000008
【図７】
2004171379.tif 000009
【図８】
2004171379.tif 000010
【図９】
2004171379.tif 000011
【図１０】
2004171379.tif 000012
【図１１】
2004171379.tif 000013
【図１２】
2004171379.tif 000014